(57)【特許請求の範囲】
【請求項１】
排水を流す水路の途中に、細目の除塵コンベヤを、下半部側が没水するように所要の傾斜角度で上下方向に配置して、該除塵コンベヤの上半部側をカバーケーシングで包囲し、且つ該カバーケーシングの上端部下側に排出口及び該排出口と連続するシュートを設け、上記除塵コンベヤで掬い上げた夾雑物を除塵コンベヤの上端部から排出口へ落下させ、シュートを通して搬出装置へ導くようにしてある除塵設備において、上記カバーケーシングの上端側後面板に、大型夾雑物用の取出口を設け、該取出口の下端縁部に、上記排出口の上方所要領域に張出し得る大きさとしたキャッチャー板を上下方向へ回動自在に軸支させ、且つ該キャッチャー板を上下方向へ回動させるためのアクチュエータをキャッチャー板に連結し、更に、上記カバーケーシングの上端部所要位置に、除塵コンベヤで掬い上げて上端部付近まで運ばれてきた大型夾雑物を検知するためのセンサーを設置し、該センサーの信号を基に上記アクチュエータに作動指令を送る制御器を備えてなる構成を有することを特徴とする除塵設備。
【請求項２】
センサーからの信号を基に制御器からの作動指令で作動するアクチュエータに代えて、手動ジャッキを設け、該手動ジャッキでキャッチャー板を回動させるようにした請求項1記載の除塵設備。
【発明の詳細な説明】
【０００１】
【発明の属する技術分野】
本発明は下水処理場や中継ポンプ場、排水機場等に流入する夾雑物を除去するために用いる除塵設備に関するものである。
【０００２】
【従来の技術】
下水処理場や中継ポンプ場、あるいは、排水機場等においては、流入水と共に流入してくる夾雑物を除去するために除塵設備が設けられている。
【０００３】
一例として、排水機場に設けられている除塵設備について示すと、図３に示す如く、流入ゲート１の位置から沈砂池２の位置まで延びる細長い水路３の途中の位置に、細かいメッシュ構造としてベルト表面に多数のレーキ４を長手方向に所要間隔で取り付けた細目の除塵コンベヤ５を、下半部側が没水して上半部側が水路３の上方へ突出するように上下方向に所要傾斜角度で配置し、且つ該除塵コンベヤ５の上半部側の周囲をカバーケーシング６で覆うと共に、該カバーケーシング６の上端部に下向きに開口する排出口７を設けて、該排出口７部に、下方に設置した搬出装置としての搬出コンベヤ９上へ向けて夾雑物を落下供給させるようにするホッパ状のシュート８を連設し、上流側より排水と共に水路３内に流入してきた夾雑物を除塵コンベヤ５のレーキ４で掬い上げて、除塵コンベヤ５の上端部から排出口７を通して落下させ、シュート８により搬出コンベヤ９上に導いて、搬出コンベヤ９により場外へ搬出させるようにしてある。１０は流入ゲート１部のバイパス流路、１１は沈砂池２内に設置した排出ポンプを示す。
【０００４】
【発明が解決しようとする課題】
ところが、上記除塵設備では、細目の除塵コンベヤ５を採用していて、該細目の除塵コンベヤ５で掬い上げる小型夾雑物に対応させて、シュート８や搬出コンベヤ９のサイズ及び設置間隔等が設定されているため、大型夾雑物を除塵コンベヤ５で掬い上げると、大型夾雑物の形状やサイズによっては、シュート８の部分や搬出コンベヤ９において詰まり現象を起すことがある。特に、長尺物の場合は、シュート８内で棚吊り状態になり易く、その都度、カバーケーシング６の側面板の蓋をあけて取り除く作業が必要となり、施設全体としての運転管理上及び維持管理上の問題が発生することになる。
【０００５】
上記の問題を解消するために、細目の除塵コンベヤ５の上流位置に粗目の除塵設備を設置することが考えられるが、設置場所の規制上の問題や、メンテナンス上の問題、あるいは、経済的な問題から、細目の除塵コンベヤ５のみが設置されることが多い。
【０００６】
そこで、本発明は、細目の除塵コンベヤにて掬い上げた大型夾雑物と小型夾雑物を、詰まり現象を起すことなく選別して搬出できるようにしようとするものである。
【０００７】
【課題を解決するための手段】
本発明は、上記課題を解決するために、排水を流す水路の途中に、細目の除塵コンベヤを、下半部側が没水するように所要の傾斜角度で上下方向に配置して、該除塵コンベヤの上半部側をカバーケーシングで包囲し、且つ該カバーケーシングの上端部下側に排出口及び該排出口と連続するシュートを設け、上記除塵コンベヤで掬い上げた夾雑物を除塵コンベヤの上端部から排出口へ落下させ、シュートを通して搬出装置へ導くようにしてある除塵設備において、上記カバーケーシングの上端側後面板に、大型夾雑物用の取出口を設け、該取出口の下端縁部に、上記排出口の上方所要領域に張出し得る大きさとしたキャッチャー板を上下方向へ回動自在に軸支させ、且つ該キャッチャー板を上下方向へ回動させるためのアクチュエータをキャッチャー板に連結し、更に、上記カバーケーシングの上端部所要位置に、除塵コンベヤで掬い上げて上端部付近まで運ばれてきた大型夾雑物を検知するためのセンサーを設置し、該センサーの信号を基に上記アクチュエータに作動指令を送る制御器を備えてなる構成とする。
【０００８】
大型夾雑物が除塵コンベヤで掬い上げられて上端部付近に運ばれてくると、センサーにより検知され、その信号を基に制御器からアクチュエータに作動指令が送られて、アクチュエータの作動によりキャッチャー板が排出口の上方領域に張り出し変位させられ、しかる後、大型夾雑物が落下してキャッチャー板で受けられると、アクチュエータの作動によりキャッチャー板が起立変位させられることで、大型夾雑物は取出口を通して自動的に搬出される。
【０００９】
又、センサーからの信号を基に制御器からの作動指令で作動するアクチュエータに代えて、手動ジャッキを設けて、該手動ジャッキを手動操作することでキャッチャー板を回動させるようにすることにより、製造コストやランニングコストを安価にすることができる。
【００１０】
【発明の実施の形態】
以下、本発明の実施の形態を図面を参照して説明する。
【００１１】
図１（イ）（ロ）（ハ）は本発明の実施の一形態を示すもので、図３に示したと同様な構成としてある除塵装置において、細目の除塵コンベヤ５の上端部を通過して落下してくる大型夾雑物１２をシュート８へ達する前に受け止めてカバーケーシング６外へ選別して搬出するようにした大型夾雑物取出装置１３を装備させる。
【００１２】
上記大型夾雑物取出装置１３について詳述すると、図１（ロ）（ハ）に示す如く、上記除塵コンベヤ５の上半部側を包囲するようにしてあるカバーケーシング６の上端排出口７の上側部、すなわち、水路３の下流側に面するカバーケーシング６の上端側後面板６ａに、コンベヤ幅方向となる左右方向に沿わせて大型夾雑物用取出口１４を開口させて設け、該取出口１４の下端縁部の内側に、上記排出口７の上方位置に所要量張り出し得る長さとして目の粗い格子柵状に形成したキャッチャー板１５を、左右方向に沿わせて配置して、該キャッチャー板１５の基部両端に左右方向へ向けて突出させた軸１６を、カバーケーシング６の上端側後面板６ａの内側面に固設したブラケット１７に支承させると共に、該両端の軸１６部付近に、操作レバー１８を直角に取り付けて、該各操作レバー１８の先端部を、カバーケーシング６の上端側後面板６ａに設けた貫通孔１９を通してカバーケーシング６外へ突出させ、且つ該各操作レバー１８の先端部に、カバーケーシング６の上端側後面板６ａの外側面にそれぞれ下向きに設置したアクチュエータとしての電動シリンダ２０のロッド２０ａ端を接続して、該両電動シリンダ２０の伸縮作動により操作レバー１８を介しキャッチャー板１５が両端の軸１６を支点に上下方向へ回動させられるようにし、更に、上記除塵コンベヤ５のレーキ４により掬い上げられた大型夾雑物１２がコンベヤ上端部を通過する直前の位置となるように、カバーケーシング６の側面板６ｂの所要位置に光電センサー２１を設置し、且つ該光電センサー２１の信号を基に上記電動シリンダ２０に作動指令を与える制御器２２を備え、光電センサー２１にて大型夾雑物１２を検知したときに、キャッチャー板１５が排出口７の上方に一定時間だけ張り出された後に取出口１４と面するように起立させられるようにすることにより、除塵コンベヤ５の上端部を通過して落下した大型夾雑物１２をキャッチャー板１５で一旦受け止めて取出口１４を通してカバーケーシング６外へ搬出できるようにした構成としてある。
【００１３】
除塵コンベヤ５の運転時、キャッチャー板１５は、図１（ロ）において二点鎖線で示す如く起立させられて取出口１４を塞いでいる状態が基本姿勢となる。したがって、水路３内に排水の流れと共に小型夾雑物が流入して除塵コンベヤ５の位置へ到着した場合は、図３に示す従来方式と同様に、レーキ４により掬い上げられて除塵コンベヤ５の上端部を通過させられることにより排出口７へ落下させられ、シュート８により搬出コンベヤ９へ導かれて搬出される。この際、光電センサー２１は小型夾雑物を検知しないように位置設定してあるため、制御器２２から電動シリンダ２０へ作動指令が送られることはない。
【００１４】
一方、水路３内に大型夾雑物１２が流入して除塵コンベヤ５の位置に到着した場合も、レーキ４により掬い上げられるが、掬い上げられた大型夾雑物１２が除塵コンベヤ５の上端部付近に達すると、光電センサー２１によりその存在が検知されるため、制御器２２から電動シリンダ２０へ作動指令が送られる。この場合、伸長状態にある電動シリンダ２０のロッド２０ａが収縮作動させられることにより図１（ロ）において二点鎖線の位置にあるキャッチャー板１５が実線で示すように、倒伏変位させられることにより排出口７の上方の所要領域に張り出されるため、除塵コンベヤ５の上端部を通過して落下した大型夾雑物１２はキャッチャー板１５にて受け止められることになる。この際、大型夾雑物１２の前後に位置していた小型夾雑物や、大型夾雑物１２に付随していた小型夾雑物は、キャッチャー板１５の前方の領域、あるいは、キャッチャー板１５自体に有する空所を通りシュート８内へ落下させられる。しかる後、制御器２２からの作動指令で電動シリンダ２０のロッド２０ａが伸長作動させられることにより、キャッチャー板１５は起立させられることになり、これにより、キャッチャー板１５上の大型夾雑物１２はカバーケーシング６の取出口１４を通してカバーケーシング６外へ搬出される。したがって、大型夾雑物１２によるシュート８や搬出コンベヤ９の詰まり現象の発生を未然に防ぐことができる。
【００１５】
このように、細目の除塵コンベヤ５の上端部付近に、大型夾雑物用の取出装置１３を装備させて、大型夾雑物１２と小型夾雑物とを選別して搬出させることができるようにしたことから、粗目の除塵設備を併設する場合に比し、除塵設備全体として、製造及び建設コストを削減することができると共にコンパクト化を図ることができ、又、メンテナンスも楽になり、且つ自動搬出により運転管理も容易となる。
【００１６】
次に、図２は本発明の実施の他の形態を示すもので、図１（イ）（ロ）（ハ）に示したと同様な構成において、光電センサー２１及び制御器２２を不要とし、且つアクチュエータとしての電動シリンダ２０に代えて、ハンドル２３の回転操作によってロッド２４ａが上下動するようにしてある手動ジャッキ２４を設置したものである。
【００１７】
図２の実施の形態の場合には、作業員が取出口１４を通して除塵コンベヤ５の上端部付近を監視し、大型夾雑物１２が掬い上げられてきたことを確認したときに、手動ジャッキ２４のハンドル２３を所要方向に回転操作することにより、キャッチャー板１５を倒伏変位させて排出口７の上方領域に張り出させるようにし、キャッチャー板１５で大型夾雑物１２を受けた後に、上記ハンドル２３を逆方向に回転操作することにより、キャッチャー板１５を起立変位させて、大型夾雑物１２を取出口１４から搬出させるようにする。この実施の形態によれば、図１（イ）（ロ）（ハ）の実施の形態の場合よりも、製造コストやランニングコストを安価にすることができる。
【００１８】
なお、図１（イ）（ロ）（ハ）の実施の形態では、キャッチャー板１５を操作するためのアクチュエータとして電動シリンダ２０を用いた場合を示したが、油圧シリンダやエアシリンダ等であってもよいこと、又、このアクチュエータはキャッチャー板１５の左右幅サイズ等により片側のみの設置としてもよいこと、更に、光電センサー２１に代えて他のセンサーを用いるようにしてもよいこと、その他本発明の要旨を逸脱しない範囲内において種々変更を加え得ることは勿論である。
【００１９】
【発明の効果】
以上述べた如く、本発明の除塵設備によれば、排水を流す水路の途中に、細目の除塵コンベヤを、下半部側が没水するように所要の傾斜角度で上下方向に配置して、該除塵コンベヤの上半部側をカバーケーシングで包囲し、且つ該カバーケーシングの上端部下側に排出口及び該排出口と連続するシュートを設け、上記除塵コンベヤで掬い上げた夾雑物を除塵コンベヤの上端部から排出口へ落下させ、シュートを通して搬出装置へ導くようにしてある除塵設備において、上記カバーケーシングの上端側後面板に、大型夾雑物用の取出口を設け、該取出口の下端縁部に、上記排出口の上方所要領域に張出し得る大きさとしたキャッチャー板を上下方向へ回動自在に軸支させ、且つ該キャッチャー板を上下方向へ回動させるためのアクチュエータをキャッチャー板に連結し、更に、上記カバーケーシングの上端部所要位置に、除塵コンベヤで掬い上げて上端部付近まで運ばれてきた大型夾雑物を検知するためのセンサーを設置し、該センサーの信号を基に上記アクチュエータに作動指令を送る制御器を備えてなる構成としてあるので、大型夾雑物が除塵コンベヤで掬い上げられると、センサーの信号に基づく制御器からの指令でアクチュエータが作動させられることにより、キャッチャー板が排出口の上方領域に張り出し変位させられることで大型夾雑物を受け止め、しかる後、キャッチャー板が起立変位させられることで大型夾雑物を取出口を通して自動的に選別搬出することができ、したがって、大型夾雑物によるシュートや搬出装置の詰まりを未然に防ぐことができ、これにより、粗目の除塵設備を併設する場合に比し、設備全体として、製造コスト及び建設コストを削減することができると共にコンパクト化を図ることができ、且つメンテナンスや運転管理を容易に行うことができ、又、センサーからの信号を基に制御器からの作動指令で作動するアクチュエータに代えて、手動ジャッキを設けて、該手動ジャッキでキャッチャー板を回動させるようにした構成とすることによって、製造コストやランニングコストをより安価にすることができる、等の優れた効果を発揮する。
【図面の簡単な説明】
【図１】本発明の除塵設備の実施の一形態を示すもので、（イ）は全体の概略側面図、（ロ）は（イ）のＡ部拡大図、（ハ）は（ロ）のＢ−Ｂ方向矢視図である。
【図２】本発明の実施の他の形態を示す部分拡大図である。
【図３】従来の除塵設備の一例を示す概略側面図である。
【符号の説明】
３  水路
５  除塵コンベヤ
６  カバーケーシング
６ａ  上端側後面板
７  排出口
８  シュート
９  搬出コンベヤ（搬出装置）
１２  大型夾雑物
１４  取出口
１５  キャッチャー板
１６  軸
２０  電動シリンダ（アクチュエータ）
２１  光電センサー（センサー）
２２  制御器
２４  手動ジャッキ
【図１】
0004237917.tif 000002
【図２】
0004237917.tif 000003
【図３】
0004237917.tif 000004